(57)【要約】      （修正有）【課題】巻取りロールのカーテンの整列方法の提供。【解決手段】ドア１０は、軸３８の周囲に回転可能なローラ１６を含む。更に、カーテン１６を含む。カーテンの巻きつけられる部分は、ローラの周囲に巻きつけられ、広げられる部分は、巻きつけられる部分から接線方向に離れて延びる。広げられる部分は、ローラの第１端部に最も近い第１地点およびローラの第２端部に最も近い第２地点で、巻きつけられる部分と近接する。カーテンが中間地点にあるとき、軸は、第１地点より第２地点に近くなる。ドアは、カーテンをローラに導くガイド部材を含む。【選択図】図１
2016079802.tif 000002
【特許請求の範囲】
【請求項１】
出入口を選択的にブロックし、ブロックを解除する為のドアにおいて、前記ドアは、
前記出入口の上端部に最も近いローラであって、前記ローラの第１端部と前記ローラの第２端部との間で水平に伸び、軸の周囲に回転可能である、前記ローラと、
巻きつけられる部分と広げられる部分とを有するカーテンであって、前記巻きつけられる部分は、前記ローラの周囲に巻きつけられ、前記広げられる部分は、前記巻きつけられる部分から接線方向に離れて延び、前記広げられる部分は、前記ローラの前記第１端部に最も近い第１地点で前記巻きつけられる部分と近接し、前記広げられる部分は、前記ローラの前記第２端部に最も近い第２地点で前記巻きつけられる部分に近接し、前記カーテンは、前記出入口をブロックする為の閉位置、前記出入口のブロックを解除する為の開位置、前記閉位置および前記開位置の間の中間位置へと選択的に移動可能であり、前記第１地点および前記第２地点は、前記カーテンが前記開位置にあるときより、前記カーテンが前記閉位置にあるときに前記軸の近い、前記カーテンと、
前記カーテンが前記中間位置にあるとき、前記軸が前記第１地点より第２地点に近くなるように、前記カーテン、前記ローラのうち少なくとも一つに付けられたシムと、
を備える、ドア。
【請求項２】
前記軸は、前記カーテンが前記開位置にあるとき、前記第１地点より前記第２地点の近くにある、請求項１に記載のドア。
【請求項３】
前記ローラは、前記第２端部にあるより前記第１端部にある方が大きい有効周囲を有する、請求項１に記載のドア。
【請求項４】
前記ローラは、前記第１端部にある第１有効周囲と前記第２端部にある第２有効周囲とを有し、前記第１有効周囲および前記第２有効周囲の差異は調整可能である、請求項１に記載のドア。
【請求項５】
前記シムは、前記カーテンが前記開位置にあるとき、前記ローラの前記第１端部に最も近い、請求項１に記載のドア。
【請求項６】
前記シムは、前記カーテンに付けられる、請求項１に記載のドア。
【請求項７】
前記シムは、前記ローラに付けられる、請求項１に記載のドア。
【請求項８】
前記シムは、前記カーテンが前記閉位置にあるときより、前記カーテンが前記開位置にあるとき、より湾曲される、請求項１に記載のドア。
【請求項９】
上端部、下端部、第１側縁部、第２側縁部を含む出入口を選択的にブロック、ブロックを解除する為のドアにおいて、前記ドアは、
前記出入口の前記上端部に最も近くにあるローラであって、前記ローラの第１端部および前記ローラの第２端部の間の水平に伸び、軸の周囲に回転可能である、前記ローラと、
垂直に伸び、前記第１側縁部に最も近い第１トラックと、
垂直に伸び、前記第２側縁部に最も近い第２トラックと、
前記ローラに付けられ、前記ローラの周囲に巻きつけられるカーテンであって、前記カーテンは、主要部、第１縁部、第２縁部を備え、前記第１縁部は、前記第１トラックへと延び、前記第２縁部は、前記第２トラックへと延び、前記主要部は、前記第１縁部および前記第２縁部の間に延び、前記カーテンは、前記第１主要部で平均的な材料厚みを有し、前記第１縁部および第２縁部で最大厚み地点を有し、前記カーテンは、前記出入口をブロックする為の閉位置および前記出入口のブロックを解除する為の開位置を選択的に移動可能である、前記カーテンと、
前記カーテンの前記主要部の上に横たわる為の第１シムであって、前記第１シムは、前記カーテンが前記閉位置にあるとき、前記出入口の前記下端部より前記ローラに近く、前記第１シムは、前記第２トラックより前記第１トラックに近い、前記第１シムと、
前記第１シムから離間され、前記カーテンの前記主要部の上に横たわらせる為の第２シムであって、前記第２シムは、前記第１トラックより前記第２トラックの近くにあり、前記第２シムは、前記カーテンが前記閉位置にあるとき、前記出入口の前記下端部より前記ローラの近くにあり、前記第１シム及び前記第２シムの各々は、前記平均材料厚みより大きいシム厚みを有し、前記シム厚みは、前記平均材料厚みより最大厚み地点に近い大きさの厚みである、前記第２シムと、
を備える、ドア。
【請求項１０】
前記第１シムは、前記第１縁部から離間され、前記第２シムは、前記第２縁部から離間される、請求項９に記載のドア。
【請求項１１】
前記第１シム及び前記第２シムの各々は、前記カーテンが前記閉位置にあるとき、垂直に伸びている、請求項９に記載のドア。
【請求項１２】
前記第１シム及び前記第２シムの各々は、前記カーテンが前記閉位置にあるときより前記開位置にあるときに、より湾曲される、請求項９に記載のドア。
【請求項１３】
前記第１シム及び前記第２シムの各々は、前記カーテンの前記主要部に付けられる、請求項９に記載のドア。
【請求項１４】
前記第１シム及び前記第２シムの各々は、発泡パッドを備える、請求項９に記載のドア。
【請求項１５】
前記ローラの前記第１端部及び第２端部は、前記カーテンに係合し、前記カーテンの前記第１縁部及び第２縁部は、前記カーテンが前記開位置にあるとき、前記ローラの前記第１端部及び第２端部を超えて水平に突き出す、請求項９に記載のドア。
【請求項１６】
ドアのローラに関して側方向にカーテンの下端部の整列を調整する為のシムを選択的に設置するステップを包含するドア方法において、前記ローラは、前記側方向に水平に伸び、前記カーテンは、出入口をブロックする為の閉位置と前記出入口のブロックを解除する為の開位置まで選択的に移動可能なドア方法であって、
前記カーテンは、前記開位置にあるとき、前記ローラの周囲に巻きつけられた第１構成になるように、前記ローラに前記カーテンの上端部を留めるステップと、
前記カーテンは、前記開位置にあるとき、前記ローラの周囲に巻きつけられた第２構成になるように、前記ローラ又は前記カーテンのうち少なくとも一つに前記シムを付けるステップと、
を備える、ドア方法。
【請求項１７】
前記ローラの第１端部および前記ローラの第２端部の間で前記ローラが水平に伸び、前記カーテンが前記開位置にあるとき、前記シムは、前記ローラの前記第２端部より前記ローラの前記第１端部に近くにあり、前記シムは前記ローラ又は前記カーテンのうち少なくとも一つに付けられる、請求項１６に記載のドア方法。
【請求項１８】
前記シムが前記ローラ又は前記カーテンのうち少なくとも一つに付けられるとき、前記シムは、前記カーテンの前記下端部より前記カーテンの前記上端部の近くにある、請求項１６に記載のドア方法。
【請求項１９】
前記ローラ又は前記カーテンのうち少なくとも一つに前記シムを付けるステップの際、前記シムが前記カーテンに付けられる、請求項１６に記載のドア方法。
【請求項２０】
前記カーテンが前記閉位置にあるときより、前記カーテンが前記開位置にあるとき、前記シムは、より湾曲される、請求項１６に記載のドア方法。
【請求項２１】
壁の出入口を選択的にブロックおよびブロックを解除する為のドアにおいて、前記ドアは、
第１トラックと、
第２トラックと、
前記第１トラックの上方及び前記第２トラックの上方で水平に伸びる為の巻き取り型ローラと、
前記第１トラックの上方かつ前記巻き取り式ローラの下方にある第１の対のガイド部材であって、第１のフロントガイド部材および第１のバックガイド部材を備え、前記第１のバックガイド部材は、前記第１のフロントガイド部材との間の第１ギャップを画成する、前記第１の対のガイド部材と、
前記第２トラックの上方かつ前記巻き取り式ローラの下方にある第２の対のガイド部材であって、第２のフロントガイド部材および第２のバックガイド部材を備え、前記第２のバックガイド部材は、前記第２のフロントガイド部材との間の第２ギャップを画成する、前記第２の対のガイド部材と、
前記巻き取り式ローラに付けられ、前記巻き取り式ローラの周囲に巻きつけられ、前記第１トラックおよび前記第２トラックの間で側方に延びるカーテンであって、第１縁部、第２縁部、先導縁部を有し、前記第１縁部は、前記第１トラックおよび前記第１ギャップの両方へと延び、前記第２縁部は、前記第２トラックおよび前記第２ギャップの両方へと延び、前記先導縁部は、閉位置および開位置の間で選択的に移動可能である、前記カーテンと、
を備え、
前記ドアは、前記先導縁部が前記閉位置にあるとき、前記出入口をブロックし、前記ドアは、前記先導縁部が前記開位置にあるとき、前記出入口のブロックを解除し、前記第１の対のガイド部材および前記第２の対のガイド部材は、前記第１トラックおよび第２トラックの間で実質的に中心におかれる前記巻き取り式ローラへと前記カーテンを案内する、ドア。
【請求項２２】
前記第１の対のガイド部材および第２の対のガイド部材は、前記第１トラックおよび第２トラックから離間される、請求項２１に記載のドア。
【請求項２３】
前記第１の対のガイド部材および第２の対のガイド部材は、前記第１トラックおよび第２トラックより柔らかい重合材料を備える、請求項２１に記載のドア。
【請求項２４】
前記第１の対のガイド部材を支える為のブラケットと、
前記ブラケットに付けられる複数のガイドローラと、
を更に備え、
前記カーテンの前記第１縁部は、前記複数のガイドローラの間に延びる、請求項２３に記載のドア。
【請求項２５】
前記複数のガイドローラは、一連のフロントガイドローラおよび一連のバックガイドローラを備え、前記カーテンの前記第１縁部は、前記一連のフロントガイドローラおよび前記一連のバックガイドローラの間に延びる、請求項２３に記載のドア。
【請求項２６】
壁の出入口を選択的にブロックおよびブロックを解除する為のドアにおいて、
第１トラックと、
第２トラックと、
前記第１トラックの上方かつ前記第２トラックの上方で水平に細長い巻き取り式ローラと、
前記第１トラックの上方かつ前記巻き取り式ローラの下方にある第１ブラケットと、
前記第２トラックの上方かつ前記巻き取り式ローラの下方にある第２ブラケットと、
前記第１ブラケットに付けられる一連の第１フロントローラと、
前記第１ブラケットに付けられる一連の第１バックローラと、
前記第２ブラケットに付けられる一連の第２フロントローラと、
前記第２ブラケットに付けられる一連の第２バックローラと、
前記巻き取り式ローラに付けられ、前記巻き取り式ローラの周囲に巻きつけられ、前記第１トラックおよび前記第２トラックの間で側方に延びる、カーテンであって、第１縁部、第２縁部、先導縁部を有し、前記第１縁部は、前記第１トラック、前記一連の第１フロントローラおよび一連の第１バックローラの間に延び、前記第２縁部は、前記第２トラック、前記一連の第２フロントローラおよび前記一連の第２バックローラの間へと延び、前記先導縁部は、閉位置および開位置の間を選択的に移動可能である、前記カーテンと、
を備え、
前記ドアは、前記先導縁部が前記閉位置にあるとき、前記出入口をブロックし、前記ドアは、前記先導縁部が前記開位置にあるとき、前記出入口のブロックを解除し、前記カーテンが前記巻き取り式ローラの周囲に巻きつけられ、広げられたとき、前記第１トラックおよび第２トラックと実質的な整列状態に前記カーテンを保持する、ドア。
【請求項２７】
前記第１ブラケットおよび第２ブラケットは、前記第１トラックおよび第２トラックから離間される、請求項２６に記載のドア。
【発明の詳細な説明】
【開示内容の分野】
【０００１】
[0001]この特許は、全体的にドアの巻き上げに関し、より具体的には、巻き上げ式ドアカーテンを整列させるシステムおよび方法に関する。
【０００２】
【背景】
【０００３】
[0002]概して、巻き上げ式ドアは、柔軟なカーテンを備え、このカーテンは、ドアが開けられるとき、出入口上方のローラの周囲に巻きつけられる。ドアを閉じるため、２つの垂直トラックは、出入口を横切ってカーテンを導くので、カーテンの巻きは戻される。巻き上げ式ドアは、概して、動力が供給されて開閉するか、動力が供給されて開けられ、重力で落ちて閉じられる。
【０００４】
[0003]幾つかの巻き上げ式ドアは、駆動ユニットによって動力が与えられ、駆動ユニットは、ドアの開閉方向のいずれかにカーテンのローラを回転させることができる。他の巻き上げ式ドアは、駆動ユニットによって動力が与えられ、駆動ユニットは、ドアが開くときにローラがカーテンのゆるみ（slack）をとりつつ、それ自身にカーテンを駆動して係合させる。
【図面の簡単な説明】
【０００５】
[0004]
【図１】図１は、本願に開示された教示に従って較正された（閉位置における）実施例のドアの正面図である。
【図２】図２は、図１に類似した正面図であるが、中間位置または一部が開位置にある実施例のドアを示す。
【図３】図３は、図１に類似した正面図であるが、開位置にある実施例のドアを示す。
【図４】図４は、図１の４−４線に沿って取られた横断面図である。
【図５】図５は、図４に類似した横断面図であるが、本願に開示された教示に従って構成された他の実施例のドアを示す。
【図６】図６は、追加の矯正シムを持たない図５の正面図である。
【図７】図７は、図６に類似するが、追加される実施例の矯正シムを備えた正面図である。
【図８】図８は、本願に開示された教示に従って構成された（閉位置における）実施例のローラおよび実施例のカーテンの右端部の図である。
【図９】図９は、図８に類似するが、中間位置における実施例のカーテンを示す右端部の図である。
【図１０】図１０は、図８に類似するが、開位置における実施例のカーテンを示す右端部の図である。
【図１１】図１１は、図８に類似するが、本願に開示された教示に従って構成された他の実施例のローラおよび実施例のカーテンを示す右端部である。
【図１２】図１２は、図８に類似するが、本願に開示された教示に従って構成された追加の実施例のシムを備えた右端部の図である。
【図１３】図１３は、図１２に類似するが、中間位置にある実施例のカーテンを示す右端部の図である。
【図１４】図１４は、図１２に類似するが、開位置にある実施例のカーテンを示す右端部の図である。
【図１５】図１５は、図１２−図１４の最上面の概略図である。
【図１６】図１６は、図１２に類似するが、代替えの場所に設置された実施例のシムを示す右端部の図である。
【図１７】図１７は、図１２に類似するが、カーテンが中間位置にあるとき、他の代替え場所に設置された実施例のシムを示す右端部の図である。
【図１８】図１８は、図１に類似するが、本願に開示された教示に従って構成された他の実施例のドアを示す正面図である。
【図１９】図１９は、図１８の１９−１９線に沿って取られた横断面図である。
【図２０】図２０は、本願に開示された教示に従う実施例のドア方法を示すブロック図である。
【図２１】図２１は、図２に類似するが、本願に開示された教示に従って構成された他の実施例のドアを示す正面図である。
【図２２】図２２は、図２１の実施例のドアの右上角の拡大正面図である。
【図２３】図２３は、図２２の２３−２３線に沿って取られた横断面図である。
【図２４】図２４は、図２２の２４−２４線に沿って取られた横断面図である。
【図２５】図２５は、図２及び図２１に類似するが、本願に開示された教示に従って構成された他の実施例のドアを示す正面図である。
【図２６】図２６は、図２５の実施例のドアの右上角の拡大正面図である。
【図２７】図２７は、図２６の２７−２７線に沿って取られた横断面図である。
【図２８】図２８は、図２６の２８−２８線に沿って取られた横断面図である。
【０００６】
【詳細な説明】
【０００７】
[0032]図１−図２０は、カーテンの巻き取り式ローラに対して、及び／又は、カーテンを案内する垂直トラックと整列させて、巻き上げ式ドアのカーテンを矩形に調整または維持する為の実施例のシステムおよび方法を示す。柔軟なシムをカーテンの巻き取り式ローラの一端部に付け、その端部でローラの有効直径や周囲を増加することによって、幾つかの実施例のカーテンは整列される。他の実施例において、シムは、矯正される問題次第で、ローラの一端部または両端部の近くでカーテンの上端部に付けられる。カーテンの側縁部がカーテンの本体部より非常に厚い幾つかの実施例において、シムは、厚みの差異を補償するのに役立つので、ローラの周囲に均一に巻きつかせるのに役立つ。
【０００８】
[0033]本願に開示された実施例のシステム及び方法は、広く様々なドア及びカーテン設計に適用される。
【０００９】
[0034]図１−図４の図示された実施例は、例えば、出入口１４の上方に設置されたローラ１２を備えるドア１０、ローラ１２に付けられ、ローラ１２の周囲に巻きつけられ、ローラ１２からつるされたカーテン１６、カーテンの側縁部を導き、さらに／または、保持することに役立つ一組のトラック１８（例えば、第１トランク１８ａ、第２トランク１８ｂ）を示す。
【００１０】
[0035]図示された実施例において、カーテン１６は、閉位置（図１）、開位置（図３）、図２に示された中間位置のように部分的に開位置の範囲に選択的に移動可能である。幾つかの実施例において、ローラ１２の回転は、カーテン１６を上下動させる為に電力が供給される。他の実施例において、別個の駆動機構（例えば、スプロケット）は、ドア１０を開閉する為に、ボタン２０と係合するか、幾つかの他のカーテン１６の特徴部と係合するが、別個の駆動機構がカーテン１６を上げるとき、ローラ１２がカーテンのたるみを自動的に巻き上げるように、カウンターウェイトまたはバネがローラ１２に作用する。
【００１１】
[0036]図１−図４に図示された実施例において、カーテン１６は、第１トラック１８ａへと延びる第１縁部２２，第２トラック１８ｂへと延びる第２縁部２４、これらの縁部２２，２４の間に延びる主要部２６、ローラ１２に付けられた上端部２８（例えば、図６，図８）、出入口１４を横切って垂直に移動する下端部３０を備える。カーテンの上端部２８をローラ１２に付ける実施例の手段は、面ファスナ、ネジ、接着剤、テープ、爪、及び／又はクランプを含む。主要部２６は、どんなシート材でもよく、これは、ローラ１２の周囲に容易に巻きつくように十分に柔軟である。幾つかの実施例において、主要部２６は、名目値２７オンスのビニール（１平方ヤード当たり２７オンス）で形成される。幾つかの実施例において、主要部２６は、約０．０２６インチの平均材料厚み３２（図４，図５，図１９）を有する。
【００１２】
[0037]縁部２２，２４は、幾つかの実施例において、底摩擦ＵＨＭＷ（超高分子量ポリエチレン）の押し出された断片であり、これらは、主要部２６に、超音波で結合または他の方法で付けられる。縁部２２，２４の幾つかの実施例は、トラック１８内部に保持する為のボタン２０を含む。追加または代替えで、縁部２２，２４の幾つかの実施例は、カーテン１６の側方保持のため、実質的に連続して延びる隆起部分３４（又は、大きい厚みの部分）を含み、カーテン１６を整列して維持し、更に／又は、離脱事故に続くトラック１８へ戻して縁部２２，２４を再送りすることを容易にする。幾つかの実施例において、縁部２２，２４は、ボタン２０も隆起部分３４も含まない。例えば、図５に示された実施例において、カーテン１６は、縁部２２’を備え、縁部２２’は、単に主要部２６の統合拡張部である。
【００１３】
[0038]幾つかの実施例において、カーテン１６は、対応するトラック１８ａ、１８ｂと端部２２，２４が均一に一致されるときは適した整列状態にあり、カーテン１６の各側縁部に所望の量の張力を与える。すなわち、縁部２２，２４の各々が、対応するトラック１８ａ、１８ｂの各々へと、トラック１８に沿ったカーテン１６の適切な案内を容易にする実質的に同等の距離だけ延びるとき、カーテン１６は整列される。換言すると、カーテンがトラック１８ａ、１８ｂに関して実質的に中心におかれるとき、それがローラの周囲を転がって広がるので、カーテン１６は整列される。カーテンは、保持要素（例えば、ボタン２０，隆起部分３４など）が、図１９に示されるような関連付けられたコンポーネントおよび／またはトラック１８の内側または外側のいずれかと摩擦せず押しつけられないときに、実質的に中心におかれる。対照的に、縁部２２，２４の一つによる対応するトラック１８ａ、１８ｂへの延びが、他の縁部２２，２４による他のトラック１８ａ、１８ｂへの延びより更に延びているとき、カーテン１６は、きちんと整列されない。そのような状況において、トラックへの過剰な距離だけ延びる縁部２２，２４は、対応するトラック１８ａ、１８ｂと不必要に摩擦させる可能性があり、カーテン１６に対して摩耗が生じ、更に／又は、カーテンはドア１０を縛り上げ、ドア１０が適切に作動することを妨げる。同様に、トラックへと十分に延びない縁部２２，２４は、保持要素（例えば、ボタン２０および／または隆起部分３４））における圧力を高め、カーテン１６に摩耗を生じさせ、ドア１０は、適切に動作せず、更に／又は、縁部２２，２４がトラック１８から外れるようになる可能性が高くなる。他の実施例において、両方の縁部２２，２４が不十分にトラック１８へと延びるとき（例えば、両側の側縁部が内方に移動しつつ、カーテン１６が巻き上げられるとき）、カーテン１６は、きちんと整列されない。そのような実施例において、縁部２２，２４は、前述のように、トラック１８に押しつけてもよい。さらに、そのような内部への移動は、カーテンの主要部２６内部で緩みを生じさせる場合があるので、カーテン１６は、最早、ローラ１２の周囲に適切に巻きつかない。幾つかの実施例において、カーテン１６が閉位置（或いは、ある異なる位置）にあるときにはカーテン１６が整列されるが、カーテンが他の位置に移動するときには、カーテンがローラ１２の周囲に巻きつき、広がるので、カーテン１６の側方移動のために整列されなくなる。
【００１４】
[0039]図６−図１７において、カーテン１６は、図４−図５に示されるドアカーテンを含む異なる種類のドアカーテンを表すように概略的に図示されている。図６は、開位置においてカーテン１６がローラ１２の周囲に巻きつけられた誤整列の第１構成を示し、図７は、同一カーテン１６を開位置において適切に整列され巻きつけられた第２構成を示す。すなわち、カーテン１６は、誤整列で巻きつけられた図６の第１構成でローラの周囲に巻きつけられるのでカーテンの下端部３０は側方にオフセットされるが、カーテン１６が適切に巻きつけられた図７の第２構成では、縁部２２がトラック１８ａへと延びず、正しい量が適切に導かれる。誤整列で巻きつけられた構成は、カーテン摩耗を増やし、トラック摩耗を増やし、ドアの速度を減らし、更に／又はカーテンの誤作動、よじれ、しわを引き起こす。
【００１５】
[0040]図６に示された実施例の誤整列で巻きつけられた第１構成において、ローラ１２は、シム３６を含まず、カーテン１６は、ローラ１２の周囲に不均一に巻きつく。不均一性は、数多くの理由により、その実施例は、カーテンの一方の側縁部が他方より厚いこと、ローラ１２が完全円筒の代わりに僅かに円錐になっていること、カーテン１６の表面の不規則性、ローラ１２の表面不規則性、ローラ１２が完全に水平でないこと、カーテンの縁部２２，２４が完全にローラの回転軸３８に対して完全に垂直でないこと、更に／又は、カーテンの上端部２８が軸３８に対して平行でないが、カーテンの縁部２２，２４に対して完全に垂直でないこと（例えば、製造中、縁部２２，２４に対して矩形である代わりに、カーテン１６が僅かな角度で切断された等）を含む。
【００１６】
[0041]不均一な巻きつけの問題を矯正するため、幾つかの実施例において、シム３６がローラ１２の一端部に設置され、ローラ１２及び／又はカーテン１６及び／又は誤整列の他の原因における不均一性を補償する。図示された実施例において、シム３６は、ローラの第１端部４０で設置され、ローラ１２のその端部の有効周囲又は有効径を増やす。その結果、カーテン１６は、図７に示された巻きつけられた第２構成へと、ローラ１２の周囲に均一に巻きつく。
【００１７】
[0042]シム３６がテープで付けられ、留められ（例えば、ネジ、面ファスナなど）、接着され、或いは、他の方法でローラ１２に付けられる実施例において、付けられたシム３６は、ローラ１２の一部になる。たとえば、シム３６が円筒状ローラに付けられた実施例において、ローラは、その円筒部分およびシム３６の両方を備える。そのため、付けられたシムは、シムの領域において、ローラの周囲を増加させる。幾つかの実施例において、ローラ１２は、シャフト、シャフト突出部、及び／又は、軸３８の周囲を回転するベアリングによって支えられる。幾つかの実施例において、カーテンの巻きつけられた側縁部（例えば、部分２２，２４）は、ローラの端部４０，４２を突き出す。ローラの端部４０，４２を超えて（軸３８に対して水平の方向に）延びるカーテンの巻きつけられる部分は、別の方法ではローラに不規則に積み重なる比較的に厚い縁部の材料蓄積を最小にするのに特に有用である。
【００１８】
[0043]図８，図９，図１０は、図６に関するローラ１２およびカーテン１６の右端部の図を示し、これらの場合、シム３６が省略されている。図８は、閉位置における実施例のカーテン１６を示し、図９は、中間位置における実施例のカーテン１６を示し、図１０は、開位置における実施例のカーテンを示す。図示された実施例において、カーテン１６の上端部２８は、ローラ１２に付けられ、ローラ１２の周囲に巻かれた部分と広げられる部分４６とをつくる。広げられる部分４６は、接線方向の軸４８に沿って巻きつけられる部分４４と近接し、接線方向の軸４８から、広げられる部分４６は、ローラ１２および巻きつけられる部分４４から離れて直線状に延び始める。図１０に示された実施例の開位置において、カーテン１６の巻きつけられる部分４４は、広げられる部分４６より大きな部分を含む。図８に示された実施例の閉位置において、カーテン１６の広げられる部分４６は、巻きつけられる部分４４より大きな部分を含む。したがって、ライン４８は、カーテン１６が閉位置において、カーテン１６が開位置にあるときより、軸３８に近い。そのような幾つかの実施例において、図１１に示されるように、ドア１０は、追加のアイドラーローラ５０を含み、このアイドラーローラ５０は、軸３８に関してライン４８の位置に拘わらず、トラック１８と同一平面にカーテン１６を整列させる。
【００１９】
[0044]図１２、図１３，図１４は、図７に関してローラ１２とカーテン１６の右端部の図を示し、この場合、シム３６は、ローラ１２に付けられ、別の方法であればローラ１２に誤整列されるカーテン１６の整列を助ける。図１２は、閉位置にある実施例のカーテン１６を示し、図１３は、中間位置にある実施例のカーテン１６を示し、図１４は、開位置にある実施例のカーテン１６を示す。図示された実施例において、カーテン１６の上端部２８は、ローラ１２のシム３６に付けられ、更に／又は、ローラ１２の他の適した部分に付けられる。カーテン１６も、この実施例において、ローラ１２の周囲に巻き付けられた部分４４と広げられる部分４６とを与える。
【００２０】
[0045]図１５は、図１５の点線だけが図１４に関係する図１２，図１４の概略図である。図示された実施例において、広げられる部分４６は、ローラ１２の第１端部４０に最も近い第１地点４８ａと、ローラ１２の第２端部４２に最も近い第２地点４８ｂとの間で定められた接線方向の軸に沿って、巻き付けられた部分４４と近接する。図８−図１１の接線方向の軸と同様に、図１２−図１５における地点４８ａ、４８ｂによって定められた軸は、巻きつけられる部分４４およびローラ１２から離れて直線状に延びる、広げられる部分が始まる場所を識別する。しかしながら、ローラ１２の中心軸３８に対して実質的に平行である接線方向の軸４８（図８−図１１）と異なり、地点４８ａ、４８ｂ（図１２−図１５）の間に定められる接線方向の軸は、中心軸３８に対して平行ではない。すなわち、ローラの第１端部４０の有効周囲および有効径を増やす追加のシム３６を備え、軸３８は、カーテン１６が開位置、閉位置および／または中間位置にあるとき、第１地点４８ａより第２地点４８ｂに近くなる。さらに、図８−図１１の接線方向の軸４８と同様に、カーテン１６が開位置にあるときより閉位置にあるときの方が、図１２−図１５における地点４８ａ、４８ｂは軸３８に近くなる。
【００２１】
[0046]シムの大きさ（例えば、特に、その厚さ、ローラ１２の周りの周囲長、及び／又は、カーテン１６に沿って下に延びる垂直長）を変えることにより、ローラ１２の各端部４０，４２の間の有効周囲の差異を調整する為の手段を与える。幾つかの実施例において、シム３６の厚さは、０．２５インチ〜１．０インチの範囲にある。幾つかの実施例において、シム３６がローラに付けられるとき、シム３６の周囲長は、ローラ周囲の通路の一部のみに延びる。そのような他の実施例において、シム３６の周囲長は、ローラの全周囲に延びる。幾つかの実施例において、シム３６がカーテンに付けられるとき、垂直長は、ローラに付けられるシム３６と同様の長さに対応する。そのような他の実施例において、シム３６の垂直長は、ローラ１２の周囲長より（例えば、その長さの２倍、３倍）長くてもよい。他の実施例において、シム３６は、カーテン１６の全長または実質的に全長に延びてもよい。一端部にシム３６を追加することによって端部４０，４２の有効周囲の差異を調整することにより、ローラ１２にカーテン１６を整列させる方法を与える。幾つかの実施例において、ローラの第１端部４０におけるシム３６の設置は、下端部３０が持ち上がるとき、第２端部４２に向かって側方に移行する傾向にあるカーテンの下端部３９の問題を矯正するのに役立つ。同様に、ローラの第２端部４２におけるシム３６の設置は、下端部３０が持ち上がるとき、第１端部４０に向かって側方に移行する傾向にあるカーテンの下端部３０の問題を矯正するのに役立つ。
【００２２】
[0047]図１２は、ローラ１２の周囲に巻きつけられ、ローラ１２に留められたシム３６を示し、図１６及び図１７は、シムの代替えの場所を示す。図１６に示された実施例において、シム５２（例えば、シム３６に類似）は、カーテン１６の前側５４に付けられている。そのような実施例において、ドアが開き、カーテンの下端部３０が持ち上がるとき、シム５２およびカーテン１６は、ローラ１２の周囲に巻きつき、シム５２の領域において、ローラの周囲を有効に増加させる。この実施例において、シム５２は、カーテン１６が閉位置にあるときよりカーテン１６が開位置にあるときの方が、より湾曲される。幾つかの実施例において、シム５２は、カーテン１６の垂直の全長に延びる。幾つかの実施例において、シム５２は、カーテン１６の長さに沿った経路の一部だけに延びる。幾つかの、そのような実施例において、シム５２は、カーテンの上端部２８に向かって付勢されており、その開位置付近のカーテンの皺の問題を減少させるが、そのような皺は、不均一なカーテンの厚さ又は過剰なカーテンの厚さに起因し得る。他の実施例において、ドア１０が部分的に開けられるまでローラ１２の有効周囲が増加し始めないように、シム５２は、もっとカーテン１６の下端部３０の方に配置されてもよい。幾つかの実施例において、カーテン１６の長さの異なる部分に沿って配置される複数のシム５２が存在してもよい。
【００２３】
[0048]図１７において、シム５２は、カーテン１６の裏側５６に付けられている。ドアが開くと、カーテン１６は、シム５６を覆って巻きつくので、図１６に示されたシム配置と類似の機能性を与える。しかしながら、図１６において、シム５２は、ドアが閉じられるときでさえ、見えにくいかもしれない。
【００２４】
[0049]幾つかの実施例において、図１８及び図１９に示されるように、ローラ１２の両端部に、更に／又は、ローラの長さに沿った中央の場所５８にシムを追加するニーズがある。例えば、図１８及び図１９に示される実施例において、カーテン１６は、最大厚み地点（例えば、最大縁部厚み６０）を縁部２２，２４に有してもよく、この厚みは、（縁部２２，２４上のボタン２０，隆起部分３４等のため）カーテンの主要部２６の平均材料厚み３２より非常に大きい。したがって、ドアが開き、カーテン１６が次第にローラ１２の周囲に巻きつくにつれて、エッジ部２２，２４は、カーテンの主要部２６より大きな半径方向の距離に積み重なり、或いは、蓄積する。これは、主要部２６にローラ１２の外径に抗して半径方向内側に倒れたり、縁部２２，２４を互いの方向に引き寄せる原因となり得る。
【００２５】
[0050]この問題を減少させるため、カーテン１６の最大厚み地点にほぼ等しい厚み６２（例えば、最大縁部厚み６０）を有するシム５２が、図１６，図１８，図１９に示された地点でカーテン１６に付けられる。図１７は、代替えシム位置を示す。シムの側方配置はローラ１２の端部４０，４２付近に示されているが、シム５２は、中央の場所５８に近い他の場所に配置されてもよい。図示された実施例において、カーテン１６が開き始めるとき、カーテン１６は、比較的に厚いシム５２をローラ１２の周囲の上に運ぶので、シム５２の厚みは、カーテンの主要部２６の最初に重複する層の間の半径方向の隙間をまたがる。幾つかの実施例において、シム５２が、カーテン１６の平均材料厚み３２より、カーテン１６の最大厚み地点に近いところの大きさのシム厚み６２（例えば、最大縁部厚み６０）を有するとき、主要部２６は十分に支えられる。幾つかの実施例において、材料厚み３２は、約０．０２６インチ（例えば、０．０１５インチから０．２５インチの間）、最大縁部厚み６０は、約０．７５０インチ（例えば、０．５インチから１．２５インチの間）、シム厚みは、約０．７５０から１インチである。幾つかの実施例において、シム５２は圧縮できる独立気泡ポリエチレン発泡材のパッドであり、これが、カーテンの支持、柔軟性、耐久性の良好な組み合わせを与える。幾つかの実施例において、シム５２は、エッジ部２２，２４から離間されているので、シム５２は、エッジ部の最大厚み６０に追加されない。幾つかの実施例において、シム５２は、カーテン１６が閉められるとき、垂直に細長くなっているので、シム５２は、カーテン１６が開くとき、ロータ１２の周囲に３６０度巻きつくように、十分に長い。
【００２６】
[0051]図２０は、本願に開示された１つ以上の実施例のドアを使用する、実施例のドアの方法６４を示す。図２０の実施例は、カーテン１６が開位置にあるとき、ローラ１２の周囲に巻きつけられた第１構成において、カーテン１６を備えたドアアセンブリを認識することによって、ブロック６５で開始する。幾つかの実施例において、巻きつけられた第１構成は、ローラ１２の周囲に巻きつけられるときに誤整列されたカーテン１６に対応する。ブロック６６において、シム３６，５２がドアアセンブリに追加される為の寸法が決定される。幾つかの実施例において、シム３６，５２の寸法は、カーテン１６の誤整列の程度に基づき決定される。例えば、より大きな誤整列は、より長く、更に／又は、より厚いシムを必要とするかもしれない。幾つかの実施例において、シムの厚みは、カーテン１６の最大厚みの地点に関して決定される。幾つかの実施例において、シムの幅は、ローラ１２および／またはカーテン１６の幅に基づいて決定される。
【００２７】
[0052]ブロック６７において、ドアアセンブリにおけるシム３６，５２の配置が決定される。幾つかの実施例において、シム３６，５２の配置は、カーテン１６の誤整列の性質に依存する。たとえば、カーテン１６が誤整列され、カーテンの縁部が、（例えば、図６に示されるように）ローラ１２の周囲に巻きつくときに第２端部４２の方向に移行する（例えば、側方にオフセットするようになる）場合、シム３６，５２，５２の配置は第１端部４０の近くでもよい。カーテン１６の誤整列が、ローラの周囲に巻きつけられるときに主要部２６が倒れることによって生じる場合、シム３６，５２の配置は、カーテン１６の中央の場所に接近してもよい。シム３６，５２の側方配置に加えて、幾つかの実施例において、シム３６，５２の配置は、ローラ１２、カーテン１６の前側５４、或いは、カーテン１６の裏側５６の間で決定される。さらに、シム３６，５２がカーテン１６に付けられる実施例において、カーテン１６の上端部２８，下端部３０に関して、シム３６，５２の配置が決定される。
【００２８】
[0053]ブロック６８において、シム３６，５２は、カーテン１６が開位置にあるときにローラ１２の周囲に巻きつけられる第２構成へとカーテン１６を調整するようにドアアセンブリに付けられる。幾つかの実施例において、巻きつけられる第２構成は、ローラ１２の周囲に巻きつけられるときに整列状態にあるカーテン１６に対応する。換言すると、幾つかの実施例において、巻きつけられる第１構成におけるカーテン１６の下端部３０は、巻きつけられる第２構成におけるカーテン１６の下端部３０に関して側方にオフセットされている。ブロック６９において、他のシムが必要か決定される。必要であれば、実施例に係る方法は、ブロック６５に戻る。そうでなければ、図２０の実施例の方法は終了する。
【００２９】
[0054]図２０との関係で実施例の方法が説明されているが、図４に示された一つ以上の要素、プロセス、及び／又は、装置が組み合わされ、分離され、再配置され、排除され、更に／又は、別の方法で実施されてもよい。たとえば、幾つかの実施例において、（ブロック６６で決定される）シム３６，５２の寸法は、（ブロック６７で決定される）シム３６，５２の配置の決定に影響を与えてもよい。同様に、幾つかの実施例において、（ブロック６７で決定される）シム３６，５２の配置は、（ブロック６６で決定される）シム３６，５２の寸法の決定に影響を与えてもよい。そのため、ブロック６６，６７は、逆でもよく、更に／又は、組み合わされて実施されてもよい。
【００３０】
[0055]追加又は代替えで、本願に開示された、ある実施例のドアは、カーテンガイド部材を含み、カーテンガイド部材は、カーテン１６をローラ１２に導くことに役立ち、更に／又は、外れたカーテン１６がトラック１８に戻るように導くことに役立つ。幾つかの実施例において、誤整列のカーテン１６は外れる場合が多いので、そのようなガイド部材は、前述された実施例のシム３６，５２と組み合わされてドアシステムで使用される。他の実施例において、そのようなガイド部材は、実施例のシム３６，５２の代わりに使用され、カーテンがローラ１２の周囲に巻きつけられるとき、或いは、広げられたとき、トラック１８と共に整列状態のカーテンを保持する（たとえば、トラックの間で実質的にセンタリングされたカーテンを維持する）。図２１−図２４は、例えば、カーテン１６を備えた実施例のドア７０を示し、カーテン１６は、縁部２２，２４を有し、縁部２２，２４は、第１の対のガイド部材７２および第２の対のガイド部材７４へと延び、第１の対のガイド部材７２および第２の対のガイド部材７４によって導かれる。各対のガイド部材７２，７４は、それらの各々のトラック１８ａ、１８ｂから離間され、それらの各トラック１８ａ、１８ｂの上方にあるがローラ１２の下方にあり、必要に応じて、トラック１８にカーテンの縁部２２，２４を再送りする為の空間を設ける。
【００３１】
[0056]図示された実施例において、第１の対のガイド部材７２は、第１フロントガイド部材７６および第１バックガイド部材７８を備え、これらはブラケット８０に付けられている。カーテンの第１縁部２２は、第１ガイド部材７６、７８の間の第１ギャップ８２へと延び、第１ガイド部材７６，７８は、隆起部分３４を保持し、更に／又は、カーテンの第１縁部２２に導く。同様に、第２対のガイド部材７４は、第１の対のガイド部材７２に類似して構成され、第２対のガイド部材７４は、第２フロントガイド部材および第２バックガイド部材を含み、これらはガイド部材７６，７８に類似している。
【００３２】
[0057]幾つかの実施例において、ガイド部材７６，７８は、トラック１８より柔らかい材料で形成される。幾つかの実施例において、ガイド部材７６，７８は、摩擦を減少させる為のローラである。幾つかの実施例において、ガイド部材７６，７８は、各々が複数のローラ９８を備え、カーテンの第１縁部２２およびガイド部材７６，７８の間で接触地点を広く分布させることによって摩耗を減少させる。例えば、幾つかの実施例において、第１フロントガイド部材７６は、一連の第１フロントガイドローラ８４を備え、第１バックガイド部材７８は、一連の第１バックガイドローラ８６を備える。同様に、幾つかの実施例において、第２の対のガイド部材７４は、同様のローラ配置を有する。
【００３３】
[0058]追加または代替えで、ある実施例のカーテンガイド部材は、補足的なローラの有無に拘わらず、一つ以上の静止ガイドブロックを備える。図２５−図２８は、例えば、第１対のガイド部材８８を示し、第１対のガイド部材８８は、第１フロントガイド部材９０および第１バックガイド部材９２を備え、これらはブラケット９４に付けられている。ガイド部材９０，９２の幾つかの実施例は、底摩擦重合材料（例えば、ＵＨＭＷ）の静止ブロックである。図示された実施例において、ガイド部材９０，９２は別個のピースであるが、他の実施例において、ガイド部材９０，９２は、単体として形成される。図２５−図２８も、第１対のガイド部材８８に類似した第２対のガイド部材９６を示すが、第２対のガイド部材９６は、第２フロントガイド部材及び第２バックガイド部材を含み、これらは第１フロントガイド部材９０及び第１バックガイド部材９２に類似する。
【００３４】
[0059]幾つかの実施例において、図２５−図２８に示されたもののように、ガイド部材９０，９２も、ブラケット９４に付けられた一つ以上のローラ９８を含む。ローラ９８は、ローラ１２でカーテン１６を導く際のガイド部材の能力を高め、更に／又は、外れたカーテン１６がトラック１８へと戻ることを導く際のガイド部材の能力を高める。
【００３５】
[0060]図示された実施例において、ブラケット８０，９４は、適した手段に設置され、支持されてもよい。幾つかの実施例において、ファスナ１００（図２３及び図２７）は、ブラケット８０，９４を静止構造部材１０２（例えば、ブラケット、フレーム、構造アングルなど）に接続する。
【００３６】
[0061]一定の実施例の方法、装置、製造物が本願に説明されたが、この特許がカバーする範囲は、それらに限定されるものではない。それどころか、この特許は、添付された特許請求の範囲に文言上または均等論のいずれかで正しく入る方法、装置、製造物の全てをカバーする。
【図１】
2016079802.tif 000003
【図２】
2016079802.tif 000004
【図３】
2016079802.tif 000005
【図４】
2016079802.tif 000006
【図５】
2016079802.tif 000007
【図６】
2016079802.tif 000008
【図７】
2016079802.tif 000009
【図８】
2016079802.tif 000010
【図９】
2016079802.tif 000011
【図１０】
2016079802.tif 000012
【図１１】
2016079802.tif 000013
【図１２】
2016079802.tif 000014
【図１３】
2016079802.tif 000015
【図１４】
2016079802.tif 000016
【図１５】
2016079802.tif 000017
【図１６】
2016079802.tif 000018
【図１７】
2016079802.tif 000019
【図１８】
2016079802.tif 000020
【図１９】
2016079802.tif 000021
【図２０】
2016079802.tif 000022
【図２１】
2016079802.tif 000023
【図２２】
2016079802.tif 000024
【図２３】
2016079802.tif 000025
【図２４】
2016079802.tif 000026
【図２５】
2016079802.tif 000027
【図２６】
2016079802.tif 000028
【図２７】
2016079802.tif 000029
【図２８】
2016079802.tif 000030
【外国語明細書】
2016079802000001.pdf